(57)【要約】【課題】任意の方向にある被写体を撮影することができるとともに、静止画とともに動画を撮影する際、音声をも正確に集音することが可能な携帯情報端末装置を提供する。【解決手段】表示部６を有する第一の筐体１と、操作部５を有する第二の筐体２とを、上記第一の筐体１の表示部６を有する外面１ｂが第二の筐体２の操作部５を有する対向面２ａと同じ方向を向いた状態で第一の筐体１を第二の筐体２の操作部５を有する対向面２ａに対して開閉可能に構成するとともに、第二の筐体２の端部に回動可能に軸支された回転体４を設け、この回転体４内にカメラ部１１とマイク部９を内蔵させるとともに、回転体４表面に上記カメラ部１１の撮影窓１２とマイク部９の集音口１０を同じ方向を向くように配置して携帯情報端末装置２５を構成する。【選択図】図５
2004032444.tif 000002
【特許請求の範囲】
【請求項１】
少なくとも表示部を有する第一の筐体と、少なくとも操作部を有する第二の筐体とを有し、上記第一の筐体の表示部を有する面が上記第二の筐体の操作部を有する面と同じ方向を向いた状態で上記第一の筐体を上記第二の筐体の操作部を有する面に対して開閉可能に構成するとともに、上記第二の筐体の端部に回動可能に軸支された回転体を設け、該回転体内にはカメラ部とマイク部をそれぞれ内蔵させ、かつ上記回転体表面には上記カメラ部の撮影窓と上記マイク部の集音口を同じ方向を向くように配置したことを特徴とする携帯情報端末装置。
【請求項２】
上記第一の筐体を上記第二の筐体の操作部を有する面に対して閉じた時、上記第二の筐体に備える回転体が上記第一の筐体より突出していることを特徴とする請求項１に記載の携帯情報端末装置。
【請求項３】
上記第一の筐体の表示部を有する面に、上記表示部を挟んで２つのスピーカー部を備えるとともに、上記第一の筐体又は第二の筐体にアンテナを具備することを特徴とする請求項１又は請求項２に記載の携帯情報端末装置。
【発明の詳細な説明】
【０００１】
【発明の属する技術分野】
本発明は、カメラを具備する携帯電話機やＰＤＡ（Ｐｅｒｓｏｎａｌ　Ｄｉｇｉｔａｌ　Ａｓｓｉｓｔａｎｔｓ）等の携帯情報端末装置に関するものである。
【０００２】
【従来の技術】
近年、携帯電話機やＰＤＡ（Ｐｅｒｓｏｎａｌ　Ｄｉｇｉｔａｌ　Ａｓｓｉｓｔａｎｔｓ）等の携帯情報端末装置は、携帯性を高めるために折り畳み機構を持ったものが普及しつつあり、さらに情報端末装置としての本来の機能に加え、付加的な機能を追加したものが種々提案されており、その一つにカメラ機能を備えたものがある。
【０００３】
図８にカメラを具備した従来の携帯情報端末装置の一例を示すように、この携帯情報端末装置３０は携帯電話機に関するもので、表示部３６とスピーカー部３７を有する第一の筐体３１と、操作部３５とマイク部３４を有する第二の筐体３２とを有し、上記第一の筐体３１の表示部３５を有する面３１ｂが上記第二の筐体３２の操作部３５を有する面３２ａと同じ方向を向いた状態で第一の筐体３１を第二の筐体３２の操作部３５を有する面３２ａに対してスライドさせることにより開閉可能に構成されている。
【０００４】
また、上記第一の筐体３１によって第二の筐体３２の操作部３５を有する面３２ａを閉じた状態において、第二の筐体３２より突出する第一の筐体３１の端部には回動可能に回転体４０を軸支してあり、この回転体４０内にはカメラ部（不図示）を内蔵するとともに、回転体４０表面にカメラ部の撮影窓４１を配置するようになっていた。
【０００５】
そして、第一の筐体３１によって第二の筐体３２の操作部３５を有する面３２ａを閉じることで小型化して携帯性を高めるようになっており、また、第一の筐体３１をスライドさせて第二の筐体３２の操作部３５を有する面３２ａを開き、第一の筐体３１のスピーカー部３７を使用者の耳元に近づけるとともに、第二の筐体３２のマイク部３４を使用者の口元に近づけることにより通話を行うことができるようになっていた。
【０００６】
また、カメラを内蔵する回転体４０は第二の筐体３２の操作部３５を有する面３２ａを第一の筐体３１によって閉じた状態でも開いた状態でも回転させて被写体にカメラ部の撮影窓４１を向けることができるようになっており、撮影窓４１からカメラ部に取り込んだ画像を表示部３６に映し出すとともに、目的とする画像を撮影することができるようになっていた。
【０００７】
【発明が解決しようとする課題】
ところで、近年、マルチメディア化に伴って静止画だけでなく、動画の撮影が行われるようになっており、携帯電話機やＰＤＡ（Ｐｅｒｓｏｎａｌ　Ｄｉｇｉｔａｌ　Ａｓｓｉｓｔａｎｔｓ）等の小型の携帯情報端末装置においても動画撮影できるものが要求されている。
【０００８】
しかしながら、動画を扱う場合、動画像とともに音声データの記録が必要となるのであるが、図８に示す携帯情報端末装置３０は表示部３６と反対側にある被写体を動画撮影する場合、マイク部３４が被写体と反対側を向いているため、被写体側の音声を集音し難く、再生時には音声が聞き取り難かったり、聞こえないといった課題があった。
【０００９】
また、マルチメディア化に伴って取り込んだ画像を楽しむためにはより大きな表示部３６が必要となるのであるが、図８に示す携帯情報端末装置３０のように表示部３６を有する第一の筐体３１側にカメラ部を備えたものでは、大型化の表示部３６を用いることが難しく、また、大型の表示部３６を用いる場合には、第一の筐体３１を大きくしなければならないため、携帯情報端末装置３０が大型化し、携帯性が損なわれるといった課題があった。
【００１０】
さらに、図８に示す携帯情報端末装置３０を用いて撮影を行う場合、第一の筐体３１のスライド方向を上下にして第ニの筐体３２を片手で持ち、表示部３６に映し出される映像を見ながら被写体を決め、予め割り当ててある操作部３５のキーを押下することで撮影するようになっており、片手で操作できるようになっている。
【００１１】
しかしながら、片手で操作すると、キーの押下時に手振れが発生し易く、被写体が撮影範囲からずれて撮影されたり、ピントがずれてしまうといった恐れもあった。
【００１２】
【課題を解決するための手段】
そこで、上記課題に鑑み、本発明の携帯情報端末装置は、少なくとも表示部を有する第一の筐体と、少なくとも操作部を有する第二の筐体とを有し、上記第一の筐体の表示部を有する面が上記第二の筐体の操作部を有する面と同じ方向を向いた状態で上記第一の筐体を上記第二の筐体の操作部を有する面に対して開閉可能に構成するとともに、上記第二の筐体の端部に回動可能に軸支された回転体を設け、この回転体内にカメラ部とマイク部をそれぞれ内蔵させ、かつ上記回転体表面に上記カメラ部の撮影窓と上記マイク部の集音口を同じ方向を向くように配置したことを特徴とする。
【００１３】
また、上記第一の筐体を上記第二の筐体の操作部を有する面に対して閉じた時、上記第二の筐体に備える回転体は第一の筐体より突出するように構成することが好ましく、さらに上記第一の筐体の表示部を有する面には、表示部を挟んで２つのスピーカー部を設けるとともに、上記第一の筐体又は第二の筐体にアンテナを配置するようにしても構わない。
【００１４】
【発明の実施の形態】
以下、本発明の実施形態について説明する。
【００１５】
図１は本発明の携帯情報端末装置を示す図で、同図（ａ）は閉じた状態を示す平面図、同図（ｂ）は開いた状態を示す平面図である。
【００１６】
この携帯情報端末装置２５は携帯電話機として用いた例を示すもので、対向配置された第一の筐体１と第二の筐体２とからなり、第一の筐体１の第二の筐体２と反対の外面１ｂ側には液晶表示装置等の表示部６と、この表示部６を挟んで配置された二つのスピーカー部７，８を有するとともに、第二の筐体２の第一の筐体１との対向面２ａ側には操作部５を有している。
【００１７】
また、第一の筐体１と第二の筐体２は、第一の筐体１の表示部６を有する外面１ｂが第二の筐体２の操作部５を有する対向面２ａと同じ方向を向いた状態で第一の筐体１を第二の筐体２の操作部５を有する対向面２ａに対して略平行に回動させることにより開閉可能に構成してあり、第一の筐体１と第二の筐体２とのなす角度βが０°の時を閉じた状態（図１（ａ））とし、第一の筐体１が第二の筐体２の操作部５を有する対向面２ａを覆うようになっており、また、第一の筐体１と第二の筐体２とのなす角度βが１８０°の時を開いた状態（図１（ｂ））とし、第二の筐体２の操作部５を有する対向面２ａが露出するようになっている。
【００１８】
この回動機構としては、第一の筐体１と第二の筐体２とを対向配置した時、その一端側において、互いの対向面２ａに対して略垂直に配置されたヒンジ部３を中心に回動させることができるようになっている。
【００１９】
なお、本発明において、「第一の筐体１の表示部６を有する外面１ｂが第二の筐体２の操作部５を有する対向面２ａと同じ方向を向いた状態で第一の筐体１を第二の筐体２の操作部６を有する対向面２ａに対して開閉可能に構成する」とは、図１に示すような回動機構だけに限定されるものではなく、例えば、図８に示したように第一の筐体が第二の筐体の操作部を有する面に対してスライドするように構成したものや、第一の筐体を第二の筐体の操作部を有する面に対してボールヒンジを介して連結するように構成したものなど、閉じた状態では第一の筐体１の表示部６を有する外面１ｂが第二の筐体２の操作部５を有する対向面２ａと同じ方向を向いた状態で第二の筐体２の操作部５を有する対向面２ａを第一の筐体１によって塞ぐことができ、かつ開いた時には第一の筐体１の表示部６を有する外面１ｂが第二の筐体２の操作部５を有する対向面２ａと同じ方向を向いた状態で第二の筐体２の操作部５を有する対向面２ａを露出させることが可能な構造を有するものであれば構わない。
【００２０】
また、第二の筐体２は第一の筐体１よりも長く、第一の筐体１と第二の筐体２とを閉じた時には第二の筐体２のヒンジ部３と反対側の端部が第一の筐体１よりも突出するように構成してあり、上記突出した第二の筐体２の端部に１８０度の範囲で回動可能に軸支された回転体４を備えている。
【００２１】
図２（ａ）（ｂ）に示すように、回転体４は円筒状体をなし、第二の筐体２の端部に形成された凹部２ｃの内側面よりそれぞれ突出する円筒軸２ｄが回転体４内に嵌入されることにより軸支され、この円筒軸２ｄの軸線を中心に回転体４を凹部２ｃ内で１８０度の範囲で回動させることができるようになっている。
【００２２】
また、回転体４内にはマイク部９とカメラ部１１を内蔵してあり、上記マイク部９の集音口１０とカメラ部１１の撮影窓１２をそれぞれ回転体４の同一面４ａに形成し、同じ方向を向くように配置してある。
【００２３】
そして、撮影モード時には撮影窓１２よりカメラ部１１に取り込まれた画像が表示部６に表示されるようになっており、第二の筐体２の側面に備えるシャッター兼オフフックボタン２２を押下することにより撮影することができるようになっている。なお、１２ａは撮影窓１２内に備える撮影レンズである。
【００２４】
さらに、第二の筐体２には出し入れ可能にアンテナ１３を収納してあり、第一の筐体１のヒンジ部３近傍の端部より出し入れすることができるようになっている。また、２３は通話モード又は撮影モードに切り換えるための第二の筐体２の側面に備えるモード切り替えボタンである。
【００２５】
次に、本発明の携帯情報端末装置２５のブロック図を図３に示すように、第二の筐体２内にはアンテナ１３と接続される送信部１４及び受信部１５を有するとともに、制御部１６を備え、制御部１６は操作部５、表示部６、二つのスピーカー部７，８並びにマイク部９及びカメラ部１１と各々接続されている。なお、１７は制御部１６に接続された記憶部、１８は電池、２４は傾斜センサー、２０は第一の検出部、２１は第二の検出部で、第一の検出部２０及び第二の検出部２１はそれぞれ第二の筐体２の第一の筐体１に対する開閉途中の状態を検知するようになっている。即ち、図４に検出部の構造を示すように、円柱状をしたヒンジ部３の外周には二本の導体パターン２０ａ，２１ａを形成してあり、ヒンジ部３の回転により二つの導通端子２０ｂ，２１ｂが二本の導体パターン２０ａ，２１ａと接触／非接触となることでオン状態／オフ状態を検出するようになっている。
【００２６】
具体的には、表１に示すように、第一の検出部２０がオン状態、第二の検出部２１がオフ状態のときは第一の筐体１が第二の筐体２に対して閉じた状態（図１（ａ））にあり、第一の検出部２０がオン状態、第二の検出部２１がオン状態のときは第一の筐体１が第二の筐体２に対して９０度回動した状態にあり、第一の検出部２０がオフ状態、第二の検出部２１がオン状態のときは第一の筐体１が第二の筐体２に対して１８０度回動した開いた状態（図１（ｂ））にあり、第一の検出部２０がオフ状態、第二の検出部２１がオフ状態のときは第一の筐体１が上記以外の状態にある。
【００２７】
【表１】
2004032444.tif 000003
【００２８】
なお、第一の検出部２０及び第二の検出部２１の状態と展開状態との関係は表１に示すパターンだけに限らず、適宜設定することができる。
【００２９】
次に、本発明の携帯情報端末装置２５の動作について説明する。
【００３０】
まず、第一の筐体１を第二の筐体２に対して開いている時（図１（ｂ））には、第二の筐体２の側面に備えるモード切り換えボタン２３を押下することにより静止画の撮影モード又は動画の撮影モードに設定する。
【００３１】
静止画又は動画の撮影モードに設定すると、回転体４の撮影窓１２よりカメラ部１１に取り込まれた画像を表示部６に映し出すことができるようになっており、回転体４を１８０°の範囲で回転させ、撮影窓１２を撮影したい被写体に向けることができるようになっている。そして、撮影したい被写体を捕えたらシャッター兼オフフックボタン２２を押下することにより撮影することができるようになっている。このように、本発明の携帯情報端末装置２５によれば、カメラ部１１を内蔵した回転体４を回動させることにより被写体の位置に関係なく撮影したい画像を撮影することができる。
【００３２】
また、回転体４内にはカメラ部１１とともにマイク部９を内蔵させてあり、マイク部９の集音口１０をカメラ部１１の撮影窓１２と同じ方向を向くように同一面４ａに設けてあることから、動画撮影を行う際、撮影したい被写体とともに、被写体側の音声を確実に集音することができる。その為、従来の携帯情報端末装置のように、再生時に音声が聞き取り難かったり、聞こえなかったりすることを防止することができる。
【００３３】
さらに、本発明の携帯情報端末装置２５には傾斜センサー２４を備え、撮影モード時には携帯情報端末装置２５の向きによって表示部６にカメラ部１１へ取り込まれた画像を縦横に切り換えて映し出すことができるようになっている。その為、例えば被写体と撮影窓１２を結ぶ軸線を中心に携帯情報端末装置２５が水平線に対して４５°より大きく、かつ１３５°より小さい範囲にある場合、携帯情報端末装置２５は縦向きにあると制御部１６にて判断し、カメラ部１１に取り込まれた画像を表示部６に縦向きに映し出し、また、被写体と撮影窓１２を結ぶ軸線を中心に携帯情報端末装置２５が水平線に対して０°から４５°又は１３５°から１８０°の範囲にある場合、携帯情報端末装置２５は横向きにあると制御部１６にて判断し、カメラ部１１に取り込まれた画像を表示部６に横向きに映し出すようになっている。
【００３４】
その為、携帯情報端末装置２５を横向きにして撮影すればワイド画面の画像を撮影することができる。
【００３５】
また、本発明の携帯情報端末装置２５は、第一の筐体１が第二の筐体２に対して開いている時（図１（ｂ））だけでなく、閉じている時（図１（ａ））にも静止画や動画を撮影することができるようになっている。
【００３６】
即ち、図１（ａ）に示すように閉じている状態でも回転体４は第一の筐体１よりも突出させてあるため、カメラ部１１の撮影窓１２とマイク部９の集音口１１を撮影したい被写体に向けることができ、撮影にあたっては開いている状態と同様に、第二の筐体２の側面に備えるモード切り換えボタン２３を押下することにより静止画の撮影モード又は動画の撮影モードに設定する。
【００３７】
静止画又は動画の撮影モードに設定すると、回転体４の撮影窓１２よりカメラ部１１に取り込まれた画像を表示部６に映し出すことができるようになっており、回転体４を１８０°の範囲で回転させ、撮影窓１２を撮影したい被写体に向けることができるようになっている。そして、撮影したい被写体を捕えたらシャッター兼オフフックボタン２２を押下することにより撮影することができるようになっている。
【００３８】
さらに、本発明の携帯情報端末装置２５は横に向けても撮影することができるため、例えば図５（ａ）（ｂ）に示すように、回転体４を回動させてマイク部９の集音口１０とカメラ部１１の撮影窓１２を表示部６と反対側に向ければ、使用者と反対側にある被写体を撮影することができ、また、図６（ａ）（ｂ）に示すように、回転体４を回動させてマイク部９の集音口１０とカメラ部１１の撮影窓１２を表示部６側に向ければ、使用者側にある被写体を撮影することができるとともに、携帯情報端末装置を横向きにすることで両手で保持することができるため、シャッターキーの押下時における手振れを従来の片手によるものと比較して少なくすることができる。
【００３９】
また、本発明の携帯情報端末装置２５は、撮影モード以外に通話モードを有し、第二の筐体２の側面に備えるモード切り換えボタン２４を押下することにより設定するようになっている。
【００４０】
そして、通話モード時においては第一の筐体１を第二の筐体２に対して開いている時（図１（ｂ））だけでなく、閉じている時（図１（ａ））においても通話を行うことができるようになっている。
【００４１】
その流れを図７に示すフローチャート図を基に説明する。
【００４２】
まず、回転体４に備えるマイク部９の集音口１０を表示部６を同じ方向に向けて置く。そして、着信を検知すると、２つのスピーカー部７，８を動作させて着信音を放音させる。この時、２つのスピーカー部７，８は表示部６を挟んで両側に配置されていることから両者の距離を離すことができるため、各々のスピーカー部７，８に別々の信号を与えることによりステレオ音を出力させることができる。
【００４３】
そして、通話を行うにはシャッター兼オフフックキー２２を押下することにより行うのであるが、この時、第一の検出部２０及び第二の検出部２１にて第一の筐体１と第二の筐体２の開閉状態を確認する。例えば、第一の検出部２０がオフ状態でかつ第二の検出部２１がオン状態である場合、携帯情報端末装置２５は開いた状態（図１（ｂ））にあるため、表示部６に発呼者やその電話番号等の受信情報等を表示させるとともに、マイク部９及びマイク部９より遠方（ヒンジ部３と反対側の端部）にあるスピーカー部８をそれぞれ動作させ、スピーカー部８を耳元に、集音口１０を口元にそれぞれ近づけることにより通話を行うことができるようになっている。なお、この時、ヒンジ部３近傍にあるスピーカー部７は不動作とし、また、表示部６の表示情報等はスピーカー部８側が「上」となるように表示させるようになっている。
【００４４】
また、通話を行うためにシャッター兼オフフックキー２２を押下した時、第一の検出部２０がオン状態でかつ第二の検出部２１がオフ状態である場合、携帯情報端末装置２５は閉じた状態（図１（ａ））にあるため、表示部６に発呼者やその電話番号等の受信情報等を表示させるとともに、マイク部９及びマイク部９より遠方（ヒンジ部３近傍）にあるスピーカー部７をそれぞれ動作させ、スピーカー部７を耳元に、マイク部９がある側を口元側にそれぞれ近づけることにより通話を行うことができるようになっている。なお、この時、マイク部９近傍（ヒンジ部３と反対側の端部）にあるスピーカー部８は不動作とし、また、表示部６の表示情報等は上下を切り替えてスピーカー部７側が「上」となるように表示させるようになっている。
【００４５】
さらに、シャッター兼オフフックキー２２を押下した時、第一の検出部２０がオン状態でかつ第二の検出部２１がオン状態である場合又は第一の検出部２０がオフ状態でかつ第二の検出部２１がオフ状態である場合、いずれも第一の筐体１は第二の筐体２に対して開閉途中であるため、この時には着信があったことを２つのスピーカー部７，８より着信音を報知するだけで、表示部６は背景色、マイク部９は不動作とし、着信を受ける場合には、第一の筐体１を閉じるか（図１（ａ））又は開く（図１（ａ））ことで上述のように通話を行うようになっている。
【００４６】
このように、本発明の携帯情報端末装置２５によれば、第二の筐体２に対する第一の筐体１の開閉状態に関係なく表示部６を見ることができるため、着信があった場合、発呼者やその電話番号等の受信情報を表示部６を介して確認することができるとともに、そのまま通話モードに移行することができる。その為、発呼者を待たせるようなことがなく、また、迷惑電話であるような場合、強制的に通話を拒否することができる。しかも、着信に気付くのが遅れた時でも電話が切れる前に通話することができる確率を向上させることができるため、発呼者に不快感を与えることがなく、携帯情報端末装置としての携帯性を十分に発揮することができる。
【００４７】
また、着信時には二つのスピーカー部７，８より別々の信号を送ることによりステレオ効果をもった着信音を発生させることができ、特に音楽を着信音として用いた場合、臨場感溢れる着信音を発生させることができる。
【００４８】
以上、本発明の実施形態について示したが、本発明は上述した実施形態だけに限定されるものではなく、本発明の要旨を逸脱しない範囲で改良や変更したものにも適用できることは言う迄もない。
【００４９】
【発明の効果】
以上のように、本発明の携帯情報端末装置によれば、少なくとも表示部を有する第一の筐体と、少なくとも操作部を有する第二の筐体とを有し、上記第一の筐体の表示部を有する面が上記第二の筐体の操作部を有する面と同じ方向を向いた状態で上記第一の筐体を上記第二の筐体の操作部を有する面に対して開閉可能に構成するとともに、上記第二の筐体の端部に回動可能に軸支された回転体を設け、この回転体内にカメラ部とマイク部をそれぞれ内蔵させ、かつ上記回転体表面に上記カメラ部の撮影窓と上記マイク部の集音口を同じ方向を向くように配置したことによって、近年のマルチメディア化に対応して動画を撮影する場合、カメラ部の撮影窓と同じ向きにマイク部の集音口があるため、撮影したい動画像とともに音声を正確に集音することができ、再生時における音声の聞き取り難さを防止することができる。また、カメラ部とマイク部を回転体内に内蔵してあることから、任意の方向にある被写体に対してカメラ部の撮影窓とマイク部の集音口を向けて撮影を行うことができる。
【００５０】
特に、本発明の携帯情報端末装置では横向きにして撮影する場合、撮影窓よりカメラ部に取り込まれた画像を横向きにして表示部に映し出すこともできるため、第一の筐体と第二の筐体とを閉じた状態で横向きにすれば、両手で携帯情報端末装置を支えることができ、シャッターキーを押下する際の手振れを従来の片手での操作と比較して大幅に抑えることができ、被写体が撮影範囲からずれたり、ピントがずれることを防止することができる。
【００５１】
また、本発明によれば、第一の筐体の表示部を有する面に表示部を挟んで２つのスピーカー部を設けるとともに、第一の筐体又は第二の筐体にアンテナを配置するようにしたことから、携帯情報端末装置を開いている状態だけでなく閉じている状態でも着信があった場合、表示部に発呼者等の受信情報等を表示することができるため、発呼者の特定を行うことができ、受信情報に応じて直ちに通話を行うことができる。その為、発呼者を待たせるようなことがなく、また、迷惑電話であるような場合、強制的に通話を拒否することができる。しかも、着信に気付くのが遅れた時でも電話が切れる前に通話することができる確率を向上させることができるため、発呼者に不快感を与えることがなく、携帯情報端末装置としての携帯性を十分に発揮することができる。
【００５２】
さらに、着信時には二つのスピーカー部に別々の信号を送ることによりステレオ効果を持った着信音を発生させることができ、周囲の人にも臨場感ある音を提供することができ、不快感を与えることがない。
【図面の簡単な説明】
【図１】本発明の携帯情報端末装置を示す図で、同図（ａ）は閉じた状態を示す平面図、同図（ｂ）は開いた状態を示す平面図である。
【図２】（ａ）は図１（ａ）のＸ−Ｘ線断面図、（ｂ）は図１（ｂ）のＹ−Ｙ線断面図である。
【図３】本発明の携帯情報端末装置を示すブロック図である。
【図４】本発明の携帯情報端末装置の検出部の構造を示す部分拡大斜視図である。
【図５】（ａ）は本発明の携帯情報端末装置を閉じた状態で横向きにして使用者と反対側にある被写体を撮影する場合の状態を示す平面図、（ｂ）は本発明の携帯情報端末装置を閉じた状態で横向きにして使用者と反対側にある被写体を撮影する場合の状態を示す底面図である。
【図６】（ａ）は本発明の携帯情報端末装置を閉じた状態で横向きにして使用者側にある被写体を撮影する場合の状態を示す平面図、（ｂ）は本発明の携帯情報端末装置を閉じた状態で横向きにして使用者側にある被写体を撮影する場合の状態を示す底面図である。
【図７】本発明の携帯情報端末装置の着信時における流れを示すフローチャート図である。
【図８】従来の携帯情報端末装置を示す図で、同図（ａ）は閉じた状態を示す平面図、同図（ｂ）は開いた状態を示す平面図である。
【符号の説明】
１：第１の筐体　２：第２の筐体　３：ヒンジ部　４：回転体　５：操作部
６：表示部　７：スピーカー部　８：スピーカー部　９：マイク部
１０：集音口　１１：カメラ部　１２：撮影窓　１３：アンテナ　１４：送信部１５：受信部　１６：制御部　１７：記憶部　１８：電池
２０：第一の検出部　２１：第二の検出部
２２：シャッター兼オフフックボタン　２３：モード切り替えボタン
２４：傾斜センサー　２５：携帯情報端末装置
【図１】
2004032444.tif 000004
【図２】
2004032444.tif 000005
【図３】
2004032444.tif 000006
【図４】
2004032444.tif 000007
【図５】
2004032444.tif 000008
【図６】
2004032444.tif 000009
【図７】
2004032444.tif 000010
【図８】
2004032444.tif 000011